(57)【特許請求の範囲】
【請求項１】
被洗浄物を洗浄する食器洗い機であって、食器洗い機への指示を入力するための操作手段と、前記操作手段により入力された制御情報に基づいて食器洗い機の運転制御を行う制御手段と、食器洗い機の運転状況を表示する表示手段と、運転の経過状態に係る情報及び運転動作開始可否の情報を記憶するとともに情報を読み出し及び書き込み可能な記憶手段とを備え、前記制御手段は、前記記憶手段に記憶された運転の経過状態に係る情報から、第１の所定値以上の運転が経過していると判断したとき、前記表示手段により食器洗い機の点検を知らせる食器洗い機において、前記記憶手段の交換時に、前記運転の経過状態に係る情報を新しい記憶手段に書き込むことに合わせて前記新しい記憶手段における前記運転動作開始可否の情報を可の状態に変更することを可能とする構成とした食器洗い機。
【請求項２】
前記記憶手段の交換後、前記運転動作開始可否の情報が可の状態になっていない場合は異常であることを報知する構成とした請求項１記載の食器洗い機。
【請求項３】
前記記憶手段の交換後、前記運転動作開始可否の情報が可の状態になっていない場合は通常の運転ができない構成とした請求項１又は２記載の食器洗い機。
【請求項４】
前記新しい記憶手段における前記運転動作開始可否の情報を可の状態に変更するためには、前記新しい記憶手段に所定の情報を書き込まれなければならない構成とした請求項１〜３のうちいずれか一項記載の食器洗い機。
【請求項５】
前記新しい記憶手段に所定の情報を書き込む操作がなされることにより、前記運転動作開始可否の情報を可の状態に変更する操作が、前記制御手段によって自動で行われる構成とした請求項１〜４のうちいずれか一項記載の食器洗い機。
【発明の詳細な説明】
【技術分野】
【０００１】
本発明は食器等の被洗浄物を洗剤を含む洗浄水を用いて洗浄する食器洗い機に関するものである。
【背景技術】
【０００２】
一般的に、食器洗い機では、長期間の使用により、ヒータによる加熱、洗剤、被洗浄物から洗い流される油などの影響により、温度的、化学的に部品の劣化が進むため、所定の運転積算時間などにおいて、修理・点検作業者による点検を行うことが望ましい。
【０００３】
一方では、信頼性や安全性が要求される電気機器では、記憶手段であるメモリを用いて、カウントした運転時間をメモリへ記憶し、運転積算時間などが所定値以上となったら、自動的に警告や表示を行うことによって、点検時期を使用者に知らせ、予防的なメンテナンスを促す技術がある（例えば、特許文献１参照）。
【０００４】
これによれば、食器洗い機において、所定の運転積算時間などを検知することで、点検時期を使用者へ警告、表示することが可能となる。また、所定の運転積算時間以下において、故障や修理によりメモリが交換される際には、修理・点検作業者などが、外部からの操作により運転積算時間などをメモリから読み出し、新しいメモリへその情報を書き込むことで、交換前の運転積算時間などを引き継ぐことは当然可能である。
【先行技術文献】
【特許文献】
【０００５】
【特許文献１】特許第２６６６３６３号公報
【発明の概要】
【発明が解決しようとする課題】
【０００６】
しかしながら、このような従来の技術では、所定の運転積算時間などに達したとき、使用者に点検時期を警告、表示し、修理・点検作業者が点検を行うが、このとき、運転積算時間がクリアされる（０にする）ことにより、点検の表示を解除することになるが、使用者は点検終了後も、食器洗い機を使用し続けることになるので、再び、所定の積算時間に達すると、使用者に点検のための警告、表示をしてしまうことになる。点検表示がなされると、点検可能であると判断するが、すでに信頼性や安全性を確保できる使用期間を、超えているため、信頼性や安全性を保障することが難しい。このことは、使用者に誤解を与えることになる。現実問題として、修理の必要があっても交換する部品が造られていないということもある。このように、使用者に対して誤解を与えるという不具合を有していた。
【０００７】
また、所定の運転積算時間などに達する以前に、故障などによる部品交換等により、メモリ等の記憶手段を含む制御装置が交換される場合は、運転回数や運転積算時間などの運転の経過状態に係る情報を引継ぐ作業が省略されたり、引継ぐ作業を忘れたりすることで、運転の経過状態に係る情報の引き継ぎが確実になされない場合が生じる。この場合、運転積算時間などの運転の経過状態に係る情報がリセットされてしまい、その機器の使用を開始してからの正確な情報を知ることができなくなり、点検、修理が必要な時期に使用者へ知らせることができないという問題を有していた。
【０００８】
本発明は、上記従来の課題を解決するもので、運転の経過状態に係る情報を記憶する記憶手段が故障や修理などによって部品交換された場合でも、それまでの運転の経過状態に
係る情報を新しい記憶手段へ確実に引き継ぐことで、点検、修理などが必要な時期を正確に使用者へ知らせることができるようにすることを目的とするものである。
【課題を解決するための手段】
【０００９】
本発明は、上記目的を達成するために、被洗浄物を洗浄する食器洗い機であって、食器洗い機への指示を入力するための操作手段と、前記操作手段により入力された制御情報に基づいて食器洗い機の運転制御を行う制御手段と、食器洗い機の運転状況を表示する表示手段と、運転の経過状態に係る情報及び運転動作開始可否の情報を記憶するとともに情報を読み出し及び書き込み可能な記憶手段とを備え、前記制御手段は、前記記憶手段に記憶された運転の経過状態に係る情報から、第１の所定値以上の運転が経過していると判断したとき、前記表示手段により食器洗い機の点検を知らせる食器洗い機において、前記記憶手段の交換時に、前記運転の経過状態に係る情報を新しい記憶手段に書き込むことに合わせて前記新しい記憶手段における前記運転動作開始可否の情報を可の状態に変更することを可能とする構成としたもので、修理・点検作業者によって修理時に記憶手段が交換された時に、運転積算時間等の運転の経過状態に係る情報の書き込み忘れを防止することができる。
【発明の効果】
【００１０】
本発明の食器洗い機は、記憶手段の交換時に、運転の経過状態に係る情報を新しい記憶手段に書き込むことに合わせて新しい記憶手段における運転動作開始可否の情報を可の状態に変更することを可能とする構成としたもので、修理・点検作業者によって修理時に記憶手段が交換された時に、運転積算時間等の運転の経過状態に係る情報の書き込み忘れを防止することができる。
【図面の簡単な説明】
【００１１】
【図１】本発明の実施の形態１の食器洗い機の縦断面図
【図２】本発明の実施の形態１の食器洗い機の制御装置のブロック図
【図３】本発明の実施の形態１の食器洗い機の操作手段および表示手段を示す図
【図４】本発明の実施の形態１の食器洗い機の運転動作を示すフローチャート
【図５】本発明の実施の形態１の食器洗い機の修理や点検時のデモ運転動作を示すフローチャート
【発明を実施するための形態】
【００１２】
第１の発明は、被洗浄物を洗浄する食器洗い機であって、食器洗い機への指示を入力するための操作手段と、前記操作手段により入力された制御情報に基づいて食器洗い機の運転制御を行う制御手段と、食器洗い機の運転状況を表示する表示手段と、運転の経過状態に係る情報及び運転動作開始可否の情報を記憶するとともに情報を読み出し及び書き込み可能な記憶手段とを備え、前記制御手段は、前記記憶手段に記憶された運転の経過状態に係る情報から、第１の所定値以上の運転が経過していると判断したとき、前記表示手段により食器洗い機の点検を知らせる食器洗い機において、前記記憶手段の交換時に、前記運転の経過状態に係る情報を新しい記憶手段に書き込むことに合わせて前記新しい記憶手段における前記運転動作開始可否の情報を可の状態に変更することを可能とする構成としたもので、修理・点検作業者によって修理時に記憶手段が交換された時に、運転積算時間等の運転の経過状態に係る情報の書き込み忘れを防止することができる。
【００１３】
第２の発明は、特に第１の発明において、前記記憶手段の交換後、前記運転動作開始可否の情報が可の状態になっていない場合は異常であることを報知する構成としたものである。
【００１４】
第３の発明は、特に第１又は第２の発明において、前記記憶手段の交換後、前記運転動
作開始可否の情報が可の状態になっていない場合は通常の運転ができない構成としたものである。
【００１５】
第４の発明は、特に第１〜３のうちいずれかの発明において、前記新しい記憶手段における前記運転動作開始可否の情報を可の状態に変更するためには、前記新しい記憶手段に所定の情報を書き込まれなければならない構成としたものである。
【００１６】
第５の発明は、特に第１〜４のうちいずれかの発明において、前記新しい記憶手段に所定の情報を書き込む操作がなされることにより、前記運転動作開始可否の情報を可の状態に変更する操作が、前記制御手段によって自動で行われる構成としたものである。
【００１７】
以下、本発明の実施の形態について、図面を参照しながら説明する。なお、この実施の形態によって本発明が限定されるものではない。
【００１８】
（実施の形態１）
図１は本発明の実施の形態１における食器洗い機の断面図を示し、システムキッチンに収容された筐体１は、上方に開口部２を有し食器類３を収容し洗浄する洗浄槽４を設けている。洗浄槽４は給水手段５を介して水道配管と接続されており、運転時に洗浄槽４内に水を供給するようにしている。筐体１前面には電源のオン・オフ、運転コースの選択などを行う操作手段６、各状態の表示を行う表示手段７を配設している。
【００１９】
また洗浄槽４は、筐体１の両側面内側に略水平方向に架設されたレール８に沿って前後方向に引き出し自在となっており、洗浄槽４とレール８とをネジ等の手段により固定しており、固定を解除することで洗浄槽４を筐体１から引き出し可能に構成している。
【００２０】
洗浄槽４の内部には食器類３を収容する食器かご９を配置し、食器かご９の下方には洗浄ノズル１０を回転自在に設けており、洗浄槽４内部に洗浄水を加熱するヒータ等の加熱手段１１と洗浄槽４の底部に排水口１２を設けている。また洗浄槽４の外側には洗浄槽４内の温度を検知するサーミスタ等で構成された温度検知手段１３と、前記排水口１２に溜まる洗浄水を前記洗浄ノズル１０に送るモータ１４を具備した洗浄ポンプ１５を配置し、排水口１２に溜まる洗浄水を洗浄ポンプ１５によって循環させ、洗浄ノズル１０より噴射して食器類３を洗浄するよう構成している。
【００２１】
また、筐体１の上方に開口部２を閉塞するための蓋体１６を配置し、前後一対のリンクを含む左右一対の平行リンク機構１７により上下動自在に支持されるとともに、洗浄槽４の開口部２をシールする弾性体のシール部材１８が固定され、洗浄槽４を引き出したとき、シール部材１８が洗浄槽４の前後の移動に干渉しないよう上方に逃がす構成としている。
【００２２】
また、洗浄槽４内の空気を排出する排気口１９（図示しない）と、洗浄槽４内に外気を供給する送風手段２０を備えており、乾燥工程時に洗浄槽４内の湿った空気を排気口１９を通して洗浄槽４外に排出する構成としている。洗浄槽４の前壁部の前面に食器洗い機の運転を制御する制御装置２４を配設してある。
【００２３】
図２は本発明の実施の形態１における食器洗い機の制御装置のブロック図を示し、制御装置２４は、給水手段５、加熱手段１１、洗浄ポンプ１５等を駆動する負荷駆動手段２２と、運転経過状態に係る情報を記憶するとともに情報を読み出し、書き込みおよび消去が可能な記憶手段２３と、それらと情報を授受して洗浄、すすぎ、乾燥の各工程を逐次制御する制御手段２１とを備え、前記の運転経過状態を評価する情報として、運転積算時間、運転回数もしくは制御装置２４の通電時間のいずれか一つを設定している。以下の説明に
おいては、運転積算時間を設定したものとして説明する。
【００２４】
記憶手段２３の制御に関しては、操作手段６に所定の操作を加えることで、表示手段７に運転経過状態を表示させることを可能としており、かつ新たな運転経過状態を記憶手段２３に書き込むことを可能としている。
【００２５】
図３の本発明の実施の形態１における食器洗い機の操作手段および表示手段を示す図と、図４の食器洗い機の運転時のフローチャートと、図５の修理・点検時のデモ運転のフローチャートを用いて、制御手段２１の構成と動作、作用を説明する。
【００２６】
まず、使用者による通常の使用状態での動作、作用について、図３および図４を用いて説明する。
【００２７】
使用者が操作手段６の電源切／入スイッチを押す。続いて、一時停止／スタートスイッチを押すことにより、運転が開始される（ステップＳ１０）。制御手段２１は記憶手段２３にあらかじめ記憶している運転動作を開始して良いかの運転フラグｎがｎ＝１であるかどうかを判定する（ステップＳ１１）。工場出荷時に出荷のための検査を行い、正常であれば運転フラグｎ＝１が記憶手段２３に書き込まれている。
【００２８】
運転フラグｎ＝０であれば、異常であると判断し、表示手段７により、異常であることを表示するとともに、運転できないようにしている（ステップＳ１２）。たとえば、修理により制御装置２４の交換がなされた場合、工場出荷時の検査が行われないので、運転フラグｎは初期値の０のままである。よって、修理などにより制御装置２４を交換する場合は、後述する図５の修理や点検時のデモ運転のフローチャートに示す方法により、運転フラグをｎ＝１にすることが必要になる。
【００２９】
次に食器洗い機の運転積算時間が第１の所定値未満であるかが判定される（ステップＳ１３）。第１の所定値は、長期使用により修理・点検作業者による点検が必要となる運転積算時間が設定される。たとえば、１０年使用相当の時間（７０００時間）に設定される。
【００３０】
運転積算時間が第１の所定値以上である場合は、制御手段２１は運転積算時間が第２の所定値未満であるか判定する（ステップＳ１４）。第２の所定値は記憶手段２３に記憶することができる運転積算時間の最大値が設定される。たとえば、１５０００時間などである。記憶手段２３であるメモリは記憶できる容量が多くなればなるほど高価になるので、運転積算時間の最大値も限定されることになる。
【００３１】
運転積算時間が第２の所定値以上の場合は、記憶手段２３が満杯であるので、点検表示をすることなく、洗い・すすぎ・乾燥の各工程を運転した後（ステップＳ１５）、運転を終了させる（ステップＳ１６）。
【００３２】
ステップＳ１４で運転積算時間が第２の所定値未満の場合は、長期使用による点検が必要であることを使用者に警告・表示するために、表示手段７の点検ランプを点灯させる（ステップＳ１７）。その後、洗い・すすぎ・乾燥の各工程を運転し（ステップＳ１８）、運転積算時間に今回の運転時間が加算されて（ステップＳ１９）、運転を終了する（ステップＳ１６）。
【００３３】
よって、運転積算時間が第１の所定値以上第２の所定値未満の場合は常に点検ランプが表示され、使用者に警告、表示し続けることになる。使用者は点検表示に気づき、修理・点検作業者に点検を依頼し、点検が完了すると点検ランプは表示されなくなる。
【００３４】
次に、長期使用により、点検ランプが点灯し、修理・点検作業者が点検作業を行う作業内容について、図３および図５を用いて説明する。
【００３５】
修理・点検作業者は操作手段６によって所定の操作を行って、デモ運転を開始する（ステップＳ５０）。たとえば、操作手段６のコーススイッチと一時停止／スタートスイッチを同時に押しながら電源切／入スイッチを押し、さらにコーススイッチを数回押すことでデモ運転が開始される。専用スイッチを設けても良いが、コストアップにつながるため、通常運転で使用しているスイッチを使って、使用者が容易にできない方法が選ばれる。表示手段７の表示ランプを使って運転フラグの状態を表示する（ステップＳ５１）。たとえば、運転フラグｎ＝１ならば、表示手段７の強力ランプを点灯させ、ｎ＝０ならば消灯させるという具合である。これにより、修理・点検作業者は運転フラグを目で容易に確認できる。
【００３６】
次に、運転積算時間を表示手段７により表示する（ステップＳ５２）。たとえば、表示方法として運転積算時間が１０００時間以上の場合、乾燥ランプを点灯し、２０００時間以上の場合、予約のランプを点灯し、４０００時間以上の場合は、標準のランプを点灯し、８０００時間以上の場合は、少量のランプを点灯するようにすれば、４つの表示ランプの点灯消灯の組み合わせにより運転積算時間を表示することができる。（少量と乾燥のランプが点灯、他は消灯の場合の運転積算時間は、９０００時間以上１００００時間未満である。）表示ランプの数を増やせば運転積算時間を細かく表示することも可能である。これにより、修理・点検作業者はそれまでの運転積算時間を確認、把握する。
【００３７】
次に、記憶手段２３であるメモリの書き込みモードかどうかを判定する（ステップＳ５３）。このデモ運転は、通常の故障時の修理において、制御装置２４が交換されるときも使用される。食器洗い機を数年使った後、故障により制御装置２４を交換する場合、点検表示を行うために運転積算時間を旧品の制御装置２４の記憶手段２３（メモリ）から読み込み、新品の制御装置２４の記憶手段２３（メモリ）に書き込む必要がある。そこで、このデモ運転を行えば、修理・点検作業者は容易にかつ、１つの作業で運転積算時間を読み出して表示し、把握して書き込むことができる。よって、間違いもなくなる。メモリの書き込みモードではなく運転積算時間の表示のみの場合は、以上によりデモ運転が終了される（ステップＳ５４）。
【００３８】
次に、長期使用時の点検作業を行うとき、または修理のため制御装置２４を交換し、運転積算時間を書き込むときは、ステップＳ５３において、操作手段６によって所定の操作を行って記憶手段２３（メモリ）を書き込みモードにする。たとえば、デモ運転中に一時停止／スタートスイッチを１回押すことにより、メモリ書き込みモードに変えることができる。
【００３９】
次に運転フラグｎ＝１が設定される（ステップＳ５５）。これは、修理のため新しい制御装置２４を使用すると、運転フラグｎが０になっているためである。運転積算時間の書き込みを行わないと運転フラグｎ＝１に設定できないので、通常の食器洗い機の運転ができないようにしている。これにより、修理・点検作業者は修理時に制御装置２４を交換して、運転積算時間の書き込み忘れを防止できる。また、修理を行っても長期使用による点検表示を約１０年で点検ランプを点灯させることができる。
【００４０】
次に、メモリに入力された運転積算時間が第１の所定値（７０００時間）未満であるかを修理・点検作業者が判断し（ステップＳ５６）、第１の所定値未満の場合は、運転積算時間の入力が操作手段６の所定の操作により行われ、それまでの運転積算時間が引き継がれる（ステップＳ５７）。たとえば、コーススイッチを押すごとに運転積算時間を１００
０→２０００→３０００→・・・・→８０００（時間）と変化させる。入力された運転積算時間は表示手段７により上記運転積算時間の表示方法と同様に表示されるので、修理・点検作業者は書き込まれた運転積算時間を確認し、正しいかどうか判断する（ステップＳ５８）。書き込まれた運転積算時間が正しければ、操作手段６の所定の操作、たとえば一時停止／スタートスイッチを１回押すことにより、メモリの書き込みが完了になる（ステップＳ５９）。その後、ステップＳ５４でデモ運転を終わらせた後、第２の所定値を、１５０００時間に設定する。
【００４１】
ステップＳ５６でメモリに入力された運転積算時間が第１の所定値以上の場合は、運転積算時間として第２の所定値（１５０００時間）以上の値、例えば１６０００時間を入力し（ステップＳ６０）、入力された運転積算時間を表示し、表示内容を確認し（ステップＳ５８）、メモリの書き込みを完了し（ステップＳ５９）、デモ運転を終了（ステップＳ５４）した後、第２の所定値を、１５０００時間に設定する。
【００４２】
故障による修理では運転積算時間は通常、第１の所定値未満であるため、デモ運転が終了することになるが、点検表示を受けての点検の場合は、ステップＳ６０で運転積算時間を記憶手段２３のメモリの最大値１５０００時間以上の値に設定することにより、点検完了後の通常の運転では、点検ランプは以降点灯しなくなる。
【００４３】
なお、本実施の形態では、ステップＳ５６の判断を修理・点検作業者によって行うことで、上記デモ運転のフローを制御する制御手段２１の構成を簡素化しているが、ステップＳ５６も含めてすべてを制御手段２１によって自動で行わせることも可能である。
【００４４】
従来の食器洗い機においては点検時に記憶手段２３のメモリをクリアして運転積算時間を０に戻していたが、この場合、点検が完了してもさらに約１０年経過すると点検ランプが点灯することになり、使用者に対して誤解を招くことになる。通常、２０年経過すると、補修交換部品もなく、使用者に修理や点検ができるという誤ったメッセージを送るという不具合が生じる。
【００４５】
以上のように、本発明の食器洗い機によれば、点検時に運転積算時間が第１の所定値以上の場合、ステップＳ６０において、故意に運転積算時間として第２の所定値以上の値を書き込むことで、再度点検ランプが点灯しないようにすることができる。
【００４６】
また、故障による修理時の制御装置２４の交換、長期使用時の点検時の点検ランプ非表示の操作、さらには、運転フラグの書き込みのすべてをデモ運転という簡単な方法で行うことができ、故障・点検作業者は間違って操作することも、複数の方法・手段を行うこともなく容易にできる。
【００４７】
また、１度、点検ランプが点灯し、修理・点検作業者が点検を完了させると、以降、再度点検ランプを点灯しないようにすることができるので、使用者に誤解を与えることもない。
【００４８】
なお、本実施の形態では運転積算時間を記憶手段２３に記憶させていたが、運転回数または制御装置２４への通電時間でも同様の効果が得られる。
【００４９】
また、表示手段７は複数の表示ランプにより構成していたが、７セグメント数字表示ランプであれば、より詳細に運転積算時間を表示することができる。
【００５０】
また、操作手段６の所定の操作により、デモ運転を行ったが、デモ運転を行う専用のスイッチを制御装置２４に設けてもかまわない。
【００５１】
また、制御装置２４の交換に伴う運転フラグの書き換え設定および運転積算時間の引き継ぎ書き込みを操作手段６の所定の操作によって行っているが、専用のスイッチを制御装置２４に設けてもよいし、外部接続したメモリライター等の機器から行ってもよい。
【産業上の利用可能性】
【００５２】
以上のように、本発明にかかる食器洗い機は、食器洗い機への指示を入力するための操作手段と、前記操作手段により入力された制御情報に基づいて食器洗い機の運転制御を行う制御手段と、食器洗い機の運転状況を表示する表示手段と、運転の経過状態に係る情報を記憶するとともに情報を読み出し及び書き込み可能な記憶手段とを備え、前記制御手段は、前記記憶手段に記憶された運転の経過状態に係る情報から、第１の所定値以上第２の所定値未満の運転が経過していると判断したとき、前記表示手段により食器洗い機の点検を知らせる食器洗い機において、点検時に、前記記憶手段に記憶された運転の経過状態に係る情報を前記第２の所定値以上の値に書き換えることにより、運転の経過状態にかかわらず、再度、点検の表示を行わないようにしたことで、修理・点検作業者によって行われる点検時に、以降の食器洗い機の運転時間や運転回数によらず、点検表示を行わないように設定できるので、使用者への誤解や交換部品がないことによる不満が生じないようにすることができ、汚れた食器等の被洗浄物を洗剤を含む洗浄水を用いて洗浄する食器洗い機等として有用である。
【符号の説明】
【００５３】
６  操作手段
７  表示手段
２１  制御手段
２２  負荷駆動手段
２３  記憶手段（メモリ）
２４  制御装置
【図１】
0005516708.tif 000002
【図２】
0005516708.tif 000003
【図３】
0005516708.tif 000004
【図４】
0005516708.tif 000005
【図５】
0005516708.tif 000006